(57)【要約】【課題】種々の構成の照明器具に適用可能なブランクユニットを提供する。【解決手段】電力供給用のソケット２０４を有する照明器具２００に用いられるブランクユニット１０であって、照明器具２００の開口部を塞ぐブランクプレート１２と、ソケット２０４に取付可能な光源２０２の口金と同じ形状のねじ部２０ａを有する取付部材２０と、一方の端部がブランクプレート１２に接続され、他方の端部が取付部材２０に接続されて、ブランクプレート１２と取付部材２０との間の距離を調整可能とする調整部１４，１８とを有する。【選択図】図１
2019106302.tif 000002
【特許請求の範囲】
【請求項１】
電力供給用のソケットを有する照明器具に用いられるブランクユニットであって、
前記照明器具の開口部を塞ぐブランクプレートと、
前記ソケットに取付可能な光源の口金と同じ形状のねじ部を有する取付部材と、
一方の端部が前記ブランクプレートに接続され、他方の端部が前記取付部材に接続されて、前記ブランクプレートと前記取付部材との間の距離を調整可能とする調整部と、
を有するブランクユニット。
【請求項２】
前記調整部は、ばね部材である、請求項１に記載のブランクユニット。
【請求項３】
前記ブランクプレートの側に固定され、前記ばね部材の内側を貫通する軸部を有し、
前記取付部材は、前記軸部を挿入可能とする穴を有する、
請求項２に記載のブランクユニット。
【請求項４】
前記調整部は、第１の筒体と、
前記第１の筒体の内側に進入可能とする第２の筒体と、
前記第１の筒体の外側から取り付けられ、前記第２の筒体に支持される調整ねじと、
を有し、
前記第１の筒体は、前記ブランクプレート又は前記取付部材のいずれか一方の側に接続され、
前記第２の筒体は、前記ブランクプレート又は前記取付部材のいずれか他方の側に接続され、
前記第１の筒体は、前記調整ねじを貫通させ、かつ、前記第２の筒体の進入方向に沿って延伸する長孔を有する、
請求項１に記載のブランクユニット。
【請求項５】
前記調整部は、雌ねじ部を含む雌ねじ部材と、
前記雌ねじ部に係合する雄ねじ部を含む雄ねじ部材と、を有し、
前記雌ねじ部材は、前記ブランクプレート又は前記取付部材のいずれか一方の側に接続され、
前記雄ねじ部材は、前記ブランクプレート又は前記取付部材のいずれか他方の側に接続される、
請求項１に記載のブランクユニット。
【発明の詳細な説明】
【技術分野】
【０００１】
本開示は、照明器具に用いられるブランクユニットに関する。
【背景技術】
【０００２】
一般に、ダウンライト等の照明器具は、予め天井板に設けられている埋込穴に取り付けられる。このような照明器具が埋込穴に取り付けられているにもかかわらず、種々の事情により、不要として使用されない場合もある。この場合、そのままの状態としたのでは、例えば外観上、望ましくない。そこで、従来、埋込穴を塞ぐためのブランクプレートが存在する（特許文献１参照）。
【先行技術文献】
【特許文献】
【０００３】
【特許文献１】特開２０１１−１４２５９号公報
【発明の概要】
【発明が解決しようとする課題】
【０００４】
特許文献１に開示されているブランクプレートは、照明器具が取り外されている状態の埋込穴を塞ぐものであり、例えば埋込穴の形状に合わせて天井板を挟持することができる特有のばね部材を有する。ここで、このようなブランクプレートを、埋込穴に取り付けられている状態の照明器具の開口部を塞ぐために利用しようとする場合、ばね部材が引っ掛かる部分を予め照明器具が有していなければならない。そのため、ばね部材の引っ掛かり部分を有していない照明器具には、特許文献１に開示されているブランクプレートを用いることが難しい。すなわち、このようなブランクプレートの適用範囲は、照明器具の構成により、大きく限定される。
【０００５】
本開示は、このような従来技術の有する課題に鑑みてなされたものである。そして、本開示の目的は、種々の構成の照明器具に適用可能なブランクユニットを提供することにある。
【課題を解決するための手段】
【０００６】
上記課題を解決するために、本開示の態様に係るブランクユニットは、電力供給用のソケットを有する照明器具に用いられるブランクユニットであって、照明器具の開口部を塞ぐブランクプレートと、ソケットに取付可能な光源の口金と同じ形状のねじ部を有する取付部材と、一方の端部がブランクプレートに接続され、他方の端部が取付部材に接続されて、ブランクプレートと取付部材との間の距離を調整可能とする調整部と、を有する。
【発明の効果】
【０００７】
本開示によれば、種々の構成の照明器具に適用可能なブランクユニットを提供することができる。
【図面の簡単な説明】
【０００８】
【図１】本開示の実施形態に係るブランクユニットの構成を示す図である。
【図２】本開示の他の実施形態に係るブランクユニットの構成を示す図である。
【図３】本開示の他の実施形態に係るブランクユニットの構成を示す図である。
【図４】本開示の他の実施形態に係るブランクユニットの構成を示す図である。
【図５】本開示の他の実施形態に係るブランクユニットの構成を示す図である。
【図６】本開示の他の実施形態に係るブランクユニットの構成を示す図である。
【発明を実施するための形態】
【０００９】
以下、各実施形態について図面を参照しつつ詳細に説明する。以下の説明では、鉛直方向をＺ方向と規定する。また、Ｚ方向に対して垂直となる平面内で互いに垂直となる２方向をＸ方向及びＹ方向と規定する。特に、照明器具が天井に設置されている場合には、天井面がＸＹ平面となる。
【００１０】
（第１実施形態）
まず、第１実施形態に係るブランクユニットについて説明する。本実施形態に係るブランクユニットは、例えば、予め天井板に設けられている埋込穴に取り付けられるダウンライト等の照明器具に適用される。特に、当該ダウンライトが種々の事情により使用されない場合、ブランクユニットがダウンライトの開口部を塞ぐ。
【００１１】
図１は、本実施形態に係るブランクユニット１０、及び、ブランクユニット１０を取付可能とする照明器具２００の構成を示す図である。図１では、照明器具２００の構成を、基本的に断面図で示している。また、図１では、ブランクユニット１０の構成を、基本的に、左半分を側面図で、一方、右半分を断面図で示している。
【００１２】
まず、照明器具２００の構成について説明する。照明器具２００は、天井板１００に形成されている埋込穴１００ａに全体が埋め込まれる形で取り付けられる埋込型のダウンライトである。埋込穴１００ａの開口形状は、円形である。Ｚ方向下方から見た照明器具２００の平面形状も、埋込穴１００ａの開口形状に合わせて、円形である。
【００１３】
照明器具２００は、光源２０２と、ソケット２０４と、反射板２０６と、照明器具本体２０８と、開口枠２１０と、取付枠２１２と、電源用端子台２１４と、支持枠２１６とを備える。
【００１４】
光源２０２は、例えば、ＪＩＳ規格に基づくＥ２６形のＬＥＤ（発光ダイオード）電球である。ただし、本実施形態に係るブランクユニット１０を使用可能とする照明器具としては、種々のサイズ又は規格の電球を採用可能である。
【００１５】
ソケット２０４は、光源２０２を接続し、光源２０２に電力を供給する。ソケット２０４のサイズは、光源２０２として採用される電球の口金のサイズと合う。ソケット２０４の開口は、一例として、照明器具２００の開口方向と一致し、Ｚ方向下方を向いている。
【００１６】
反射板２０６は、光源２０２から発せられた光を照射方向へ反射させる。反射板２０６は、全体として曲面で構成された形状を有する。
【００１７】
照明器具本体２０８は、照明器具２００の全体形状を構成し、照明器具２００の各構成要素を支持する。特に、反射板２０６は、照明器具本体２０８内に保持される。
【００１８】
開口枠２１０は、反射板２０６の光照射側の開口の縁部に沿って取り付けられる環状部材である。開口枠２１０は、照明器具２００の光照射側の端部に固定される。また、開口枠２１０の一部は、天井面１００ｂの一部に重なる。したがって、天井板１００に照明器具２００が取り付けられた状態では、Ｚ方向下方から照明器具２００を見上げても、埋込穴１００ａと開口枠２１０との間の隙間は、視認されない。
【００１９】
取付枠２１２は、照明器具本体２０８に固定され、ソケット２０４や電源用端子台２１４を保持する。
【００２０】
電源用端子台２１４は、ソケット２０４を介して光源２０２に電源を供給する。
【００２１】
支持枠２１６は、照明器具本体２０８に設置され、照明器具２００を天井板１００に固定する。支持枠２１６は、例えば、金属板を加工して形成された弾性機構体である。この場合、照明器具２００を天井板１００に取り付けるに際し、支持枠２１６は、照明器具２００を埋込穴１００ａに挿入している間に、一旦、埋込穴１００ａの開口径に合わせて閉じる。そして、照明器具２００が所望の位置に設置されると、支持枠２１６が開き、図１に示すように、天井板１００の内側の面に支持枠２１６の一部が接触することで、照明器具２００の固定が完了する。
【００２２】
次に、ブランクユニット１０の構成について説明する。なお、ブランクユニット１０が照明器具２００に取り付けられている状態では、光源２０２は、ソケット２０４から取り外されている。
【００２３】
ブランクユニット１０は、ブランクプレート１２と、第１の距離調整部１４と、第２の距離調整部１８と、取付部材２０とを備える。
【００２４】
ブランクプレート１２は、照明器具２００の開口部を塞ぐ板状部材である。ブランクプレート１２の形状は、全体として直径Ｄ１の円盤状である。また、ブランクプレート１２は、照明器具２００の開口枠２１０をも覆う形状を有する。この場合、ブランクプレート１２の直径Ｄ１は、開口枠２１０の外径よりも大きい。また、ブランクプレート１２は、開口枠２１０を収容可能とする空間を形成する側壁を備える。ここで、開口枠２１０の天井面１００ｂからの厚さをＴ１とすると、ブランクプレート１２に形成される内部空間の厚さＴ２は、厚さＴ１よりも大きい。
【００２５】
第１の距離調整部１４は、一方の端部がブランクプレート１２に接続され、他方の端部が間接的に取付部材２０に接続されて、ブランクプレート１２と取付部材２０との間の距離を調整可能とする調整部である。第１の距離調整部１４は、第１の筒体１４ａと、第２の筒体１４ｂと、調整ねじ１６とを含む。
【００２６】
第１の筒体１４ａは、軸方向の一方の側に面１４ｄを有する。面１４ｄは、例えば、ねじ２４を用いて、後述する中間部材２２に接続される。一方、第１の筒体１４ａの軸方向の他方の側は、開放され、第２の筒体１４ｂの一部を収容可能とする。
【００２７】
第２の筒体１４ｂは、軸方向の一方の側に面１４ｃを有する。面１４ｃは、例えば接着やねじ止めにより、ブランクプレート１２の裏面に接続される。一方、第２の筒体１４ｂの軸方向の他方の側は、第１の筒体１４ａの内側に進入可能な形状を有する。例えば、第２の筒体１４ｂの形状は、第２の筒体１４ｂの外壁面が第１の筒体１４ａの内壁面上を摺動可能とする形状であることが望ましい。
【００２８】
調整ねじ１６は、第１の筒体１４ａと第２の筒体１４ｂとを締結する。特に、調整ねじ１６は、第１の筒体１４ａの外側から取り付けられ、第２の筒体１４ｂに支持される。ここで、第１の筒体１４ａは、調整ねじ１６を貫通させ、かつ、第２の筒体１４ｂの進入方向すなわち軸方向に沿って延伸する長孔１４ｅを有する。長孔１４ｅの延伸方向の長さをＬ１とすると、調整ねじ１６を緩めた状態では、第１の筒体１４ａは、第２の筒体１４ｂに対して軸方向に長さＬ１の範囲で移動可能である。
【００２９】
第２の距離調整部１８は、一方の端部が、中間部材２２を介して第１の筒体１４ａの面１４ｄに接続され、他方の端部が取付部材２０に接続されて、ブランクプレート１２と取付部材２０との間の距離を調整可能とする調整部である。第２の距離調整部１８は、具体的には、ばね部材である。なお、中間部材２２は、ばね部材である第２の距離調整部１８と、第１の筒体１４ａとの接続を容易にするために用いられる。したがって、中間部材２２の形状及び材質は、特に限定されるものではなく、場合によっては用いなくともよい。
【００３０】
取付部材２０は、ソケット２０４に取付可能な光源２０２の口金と同じ形状のねじ部２０ａを有する円柱状の部材である。取付部材２０は、照明器具２００の不使用時にソケット２０４に接続されるので、樹脂等の絶縁体材料で構成されることが望ましい。なお、取付部材２０の軸方向の一方の面２０ｂには、第２の距離調整部１８が接続される。なお、取付部材２０と第２の距離調整部１８との接続方法は、特に限定されるものではない。例えば、第２の距離調整部１８としてのばね部材の一端が、樹脂材で構成される取付部材２０に直接挿入されていてもよい。
【００３１】
次に、ブランクユニット１０の作用及び効果について説明する。
【００３２】
まず、本実施形態に係るブランクユニット１０は、電力供給用のソケット２０４を有する照明器具２００に用いられる。ブランクユニット１０は、照明器具２００の開口部を塞ぐブランクプレート１２と、ソケット２０４に取付可能な光源２０２の口金と同じ形状のねじ部を有する取付部材２０とを有する。また、ブランクユニット１０は、一方の端部がブランクプレート１２に接続され、他方の端部が取付部材２０に接続されて、ブランクプレート１２と取付部材２０との間の距離を調整可能とする調整部を有する。
【００３３】
本実施形態に係るブランクユニット１０によれば、ブランクプレート１２を用いることにより、照明器具２００の開口部を塞ぐので、照明器具２００の不使用時の外観を目立たなくすることができる。
【００３４】
また、ブランクユニット１０は、ソケット２０４に取付部材２０を接続することで、照明器具２００に保持される。ここで、ソケット２０４の形状は、各種規格で規定されているものである。特に日本国内では、本実施形態で例示したＥ２６形に適合したソケットを有する照明器具は、一般的に用いられている。したがって、反射板２０６等の照明器具２００の内部構成に引っ掛かり部分が存在せずとも、照明器具２００にブランクユニット１０を取り付けることができる。したがって、本実施形態に係るブランクユニット１０は、種々の構成の照明器具に適用可能である。
【００３５】
また、本実施形態に係るブランクユニット１０では、上記の調整部として、ばね部材である第２の距離調整部１８を採用している。ばね部材は、ブランクプレート１２と取付部材２０との間で伸縮可能である。したがって、ブランクプレート１２から取付部材２０までの距離が、予め想定した距離よりも長かったり短かったりしても、ばね部材は、その差を吸収することができる。また、ばね部材は、軸方向のみならず、軸方向から傾いた方向に沿っても伸縮可能である。そのため、例えば、照明器具２００の開口方向に対してソケット２０４の開口方向がずれていたり傾いていたりしても、ばね部材は、ずれ等を吸収することができる。したがって、本実施形態に係るブランクユニット１０によれば、これらのような場合でも、ソケット２０４に対して取付部材２０を好適に接続させ、照明器具２００に対してブランクユニット１０を好適に取り付けることができる。
【００３６】
また、本実施形態に係るブランクユニット１０では、上記の調整部として、第１の筒体１４ａと、第２の筒体１４ｂと、第１の筒体１４ａの外側から取り付けられ、第２の筒体１４ｂに支持される調整ねじ１６とを有する第１の距離調整部１４を採用している。第２の筒体１４ｂは、第１の筒体１４ａの内側に進入可能とする。第１の筒体１４ａは、ブランクプレート１２又は取付部材２０のいずれか一方の側に接続される。第２の筒体１４ｂは、ブランクプレート１２又は取付部材２０のいずれか他方の側に接続される。第１の筒体１４ａは、調整ねじ１６を貫通させ、かつ、第２の筒体１４ｂの進入方向に沿って延伸する長孔１４ｅを有する。そのため、照明器具２００に取り付ける前に、照明器具２００の開口部からソケット２０４までの距離を予め考慮して、長孔１４ｅの長さＬ１の範囲内で、ブランクプレート１２と取付部材２０との間の距離を調整することが可能となる。したがって、本実施形態に係るブランクユニット１０は、特に、開口部からソケット２０４までの距離がそれぞれ異なる種々の構成の照明器具２００に適用可能である。
【００３７】
（第２実施形態）
図２は、第２実施形態に係るブランクユニット３０の構成を示す図である。第１実施形態では、ブランクプレート１２と取付部材２０との間の距離を調整可能とする調整部として、第１の距離調整部１４と第２の距離調整部１８とを採用する場合を例示した。これに対して、ブランクユニット３０は、第１の距離調整部１４を採用せずに、代替構成として軸部３２を有する。
【００３８】
軸部３２は、一方の端部がブランクプレート１２の裏面に接続され、他方の端部が、ばね部材である第２の距離調整部１８に接続される円柱状の部材である。ブランクユニット３０は、少なくとも第２の距離調整部１８を含むことで、ブランクプレート１２と取付部材２０との間の距離を、ある程度調整することが可能となる。
【００３９】
したがって、本実施形態に係るブランクユニット３０によれば、第１実施形態に係るブランクユニット１０よりも簡易的な構成となるので、例えば製作コスト面で有利となる。
【００４０】
（第３実施形態）
図３は、第３実施形態に係るブランクユニット４０の構成を示す図である。第２実施形態では、ブランクプレート１２と取付部材２０との間の距離を調整可能とする調整部として、第２の距離調整部１８のみを採用する場合を例示した。これに対して、ブランクユニット４０は、それとは反対に、第１の距離調整部１４のみを採用し、かつ、第２の距離調整部１８を採用せずに、代替構成として軸部４２を有する。
【００４１】
軸部４２は、一方の端部が第１の距離調整部１４の面１４ｄに接続され、他方の端部が取付部材４２ａと一体化した円柱状の部材である。なお、ここでの取付部材４２ａの形状は、第１実施形態における取付部材２０と同様である。ブランクユニット４０は、少なくとも第１の距離調整部１４を含むことで、ブランクプレート１２と取付部材４２ａとの間の距離を、ある程度調整することが可能となる。
【００４２】
したがって、本実施形態に係るブランクユニット４０によれば、第１実施形態に係るブランクユニット１０よりも簡易的な構成となるので、例えば製作コスト面で有利となる。
【００４３】
（第４実施形態）
図４は、第４実施形態に係るブランクユニット５０の構成を示す図である。ブランクユニット５０では、中間部材５４及び取付部材５２の形状が、第１実施形態に係るブランクユニット１０に含まれる中間部材２２及び取付部材２０とそれぞれ異なる。
【００４４】
中間部材５４は、第１実施形態における中間部材２２に相当する第１部材５４ａと、取付部材５２の内部に挿入する第２部材５４ｂとを含む。第２部材５４ｂは、第１部材５４ａに立設される軸部である。また、第２部材５４ｂは、第２の距離調整部１８としてのばね部材の内側を貫通して、取付部材５２に到達する。
【００４５】
取付部材５２は、第１実施形態における取付部材２０のねじ部２０ａと同様のねじ部５２ａを有する。また、取付部材５２は、第２の距離調整部１８が接続される面５２ｂに、中間部材５４の第２部材５４ｂが挿入される穴５２ｃを有する。第２部材５４ｂは、穴５２ｃに対して摺動可能である。
【００４６】
このように、ブランクユニット５０は、ブランクプレート１２の側に固定され、ばね部材の内側を貫通する軸部を有する。また、取付部材５２は、軸部を挿入可能とする穴５２ｃを有する。そのため、ブランクユニット５０では、取付部材５２が常時、中間部材５４の第２部材５４ｂに支持される。
【００４７】
したがって、本実施形態に係るブランクユニット５０によれば、例えば、照明器具２００にブランクユニット５０を取り付ける際に、ばね部材である第２の距離調整部１８に対して取付部材５２が垂れることがないので、作業性が向上する。
【００４８】
（第５実施形態）
図５は、第５実施形態に係るブランクユニット６０の構成を示す図である。ブランクユニット６０は、第１実施形態に係るブランクユニット１０における調整部の構成、すなわち、第１の距離調整部１４及び第２の距離調整部１８に代えて、以下の構成の調整部を有する。
【００４９】
ブランクユニット６０に含まれる調整部は、まず、ブランクプレート１２に接続される雌ねじ部材６２を有する。雌ねじ部材６２は、雌ねじ部６２ａを含む、例えば円筒状の部材である。雄ねじ部材６２の一方の面６２ｂが、ブランクプレート１２に接続される。
【００５０】
また、ブランクユニット６０に含まれる調整部は、雌ねじ部６２ａに係合する雄ねじ部６４ｃを含む雄ねじ部材６４ａと、第１実施形態における取付部材２０に相当するねじ部６４ｄが形成された取付部材６４ｂとが一体化された軸状部材６４を有する。
【００５１】
このような調整部を用いる場合、照明器具２００にブランクユニット６０を取り付ける際には、まず、作業者は、ソケット２０４に取付部材６４ｂを接続させることで、ソケット２０４に対して、軸状部材６４のみを取り付ける。次に、作業者は、軸状部材６４にある雄ねじ部６４ｃに雌ねじ部６２ａを係合させることで、軸状部材６４に対して、ブランクプレート１２を取り付ける。
【００５２】
このように、ブランクユニット６０では、調整部は、雌ねじ部６２ａを含む雌ねじ部材６２と、雌ねじ部６２ａに係合する雄ねじ部６４ｃを含む雄ねじ部材６４ａとを有する。なお、雌ねじ部材は、ブランクプレート１２又は取付部材６４ｂのいずれか一方の側に接続されていればよい。また、雄ねじ部材は、ブランクプレート１２又は取付部材６４ｂのいずれか他方の側に接続されていればよい。そのため、ブランクユニット６０では、雌ねじ部６２ａと雄ねじ部６４ｃとが係合する程度によって、ブランクプレート１２と取付部材６４ｂとの間の距離を調整することが可能となる。
【００５３】
したがって、本実施形態に係るブランクユニット６０のような構成によっても、上記各実施形態と同様の効果を奏する。
【００５４】
なお、上記の各実施形態では、ブランクプレート１２の形状が、照明器具２００の開口部のみならず、開口枠２１０を覆う形状であるものとした。しかし、本開示は、これに限定されるものではない。例えば、各実施形態に係るブランクユニットにおいて、ブランクプレート１２に代えて、図６に示すように、照明器具２００の開口部のみを塞ぐブランクプレート７２を採用することも可能である。
【００５５】
ブランクユニット７０は、直径Ｄ２の円盤形状のブランクプレート７２を有する。ブランクプレート７２は、各実施形態におけるブランクプレート１２とは異なり、全体形状が単なる円盤であるので、製作が容易である。また、直径Ｄ２は、各実施形態におけるブランクプレート１２の直径Ｄ１よりも小さいので、製作コストを削減することができる。また、直径Ｄ２の寸法を、図６に示すように、開口枠２１０に形成されている反射板２０６が係合する部位２１０ａの位置に合わせることで、外観上も、より目立たなくなるという利点もある。
【００５６】
また、上記各実施形態では、ソケット２０４をＥ２６形とした。これに対して、本開示のブランクユニットを日本国以外の国で使用することが想定される場合には、ソケット２０４のサイズを、その使用が想定される国において一般的に用いられている、例えば国際電気標準会議（ＩＥＣ）規格に準じたサイズとしてもよい。
【００５７】
以上、好ましい実施形態について説明したが、本実施形態は、これ限定されず、その要旨の範囲内で種々の変形及び変更が可能である。
【符号の説明】
【００５８】
１０，３０，４０，５０，６０，７０  ブランクユニット
１２，７２    ブランクプレート
１４    第１の距離調整部
１８    第２の距離調整部
５４    中間部材
６２    雌ねじ部材
６４    軸状部材
２０，４２ａ，５２，６４ｂ  取付部材
【図１】
2019106302.tif 000003
【図２】
2019106302.tif 000004
【図３】
2019106302.tif 000005
【図４】
2019106302.tif 000006
【図５】
2019106302.tif 000007
【図６】
2019106302.tif 000008